(57)【要約】【課題】落石防護網工においては、複数の縦主ロープ及び横主ロープによる一定の大きさの格子形状でのロープ掛けを同程度の張力で弛みのなく張設することには、相当の熟練を有し、ロープの張力による不安定な岩塊の斜面への固定には、斜面の凹凸によって困難な場合が生じる。また、施工範囲には、本来予防不要な縁端部や格子状部が生じる場合がある。【解決手段】アンカーに固定された軸体が貫通するアンカー孔と周縁部にロープを連結する複数の連結ロープ孔とを備え、前記軸体に対して回動自在の回転体であるロープ留め具。【選択図】図１
2019007207.tif 000002
【特許請求の範囲】
【請求項１】
斜面における落石対策のロープ掛けに用いるアンカーへのロープ留め具であって、中央部に斜面上に突出する前記アンカーに固定された軸体が貫通するアンカー孔と周縁部にロープを連結する複数のロープ連結孔とを備え、前記軸体に対して回動自在の回転体であるロープ留め具。
【請求項２】
斜面における落石対策のロープ掛けに用いるアンカーへのロープ留め具であって、中央部に斜面上に突出する前記アンカーに固定された軸体が貫通するアンカー孔と周縁部にロープを連結するロープ連結孔とロープが貫通するロープ貫通孔とを備え、前記軸体に対して回動自在の回転体であるロープの留め具。
【請求項３】
斜面における落石対策のロープ掛けに用いるアンカーへのロープ留め具であって、中央部に斜面上に突出する前記アンカーに固定された軸体が貫通するアンカー孔と周縁部にロープを連結する連結ロープ孔とロープを回転体上に付着するロープクリップとを備え、前記軸体に対して回動自在の回転体であるロープの留め具。
【請求項４】
請求項１、請求項２若しくは請求項３のロープの留め具であって、アンカー孔が長手方向を有する長孔であるロープの留め具。
【請求項５】
請求項４のロープの留め具であって、重複部分を有する複数のアンカー孔を有するロープの留め具。
【請求項６】
請求項１、請求項２、請求項３、請求項４若しくは請求項５のロープの留め具を用いた落石防護網工又覆式落石防護網の方法。
【発明の詳細な説明】
【技術分野】
【０００１】
本発明は、落石対策の落石防護網工に用いる斜面に固定されたアンカーへのロープ留め具に関するものである。
【背景技術】
【０００２】
落石対策の工事には、発生源を除去、固定及び抑止する落石予防工と発生した落石による被害を防止することを目的とした落石防護工がある（道路土工  切土工・斜面安定工指針  公益社団法人日本道路協会  平成２１年度版  ｐ３３９）。
【０００３】
落石予防工の一つとして、ワイヤロープ掛工がある。これは、斜面上の浮石や転石が滑動や転落しないように格子状にしたワイヤロープや数本のワイヤロープ等を用いて直接浮石等の基部を覆ったり、掛けたりして斜面上に固定させるものである（落石対策便覧  社団法人日本道路協会  ｐ１０４）。ワイヤロープの両端は、アンカーに固定されるため、アンカーは安定した定着地盤を選定する必要があり、ワイヤロープやアンカーは浮石等の質量や滑落時の荷重に耐えるものでなければならない。本工法は、対象となる斜面上の岩塊等が特定されている場合に用いられ、斜面に岩塊を固定させるため、緩みのないようワイヤロープ掛けを行い、複数本のワイヤロープをかける場合、各ワイヤロープの張力は均等になるのが望ましいとされている。
【０００４】
更に、落石予防工には、斜面に広く不特定の不安定岩塊がある場合の対策として落石防護網工があり、この工法は落石防護工に位置づけられる覆式落石防護網に準ずるものである（同便覧ｐ１２６、ｐ１３３）、とされている。覆式落石防護網は、小規模の落石が発生しやすい斜面等を対象に、地山の結合力を失った岩石を金網と地山の摩擦力で落石を抑止するとともに、万一落石が発生した場合に落石を飛跳させないものである（同便覧ｐ８４、ｐ１３４）。本工法は、斜面の一定範囲を対象に落石に対する防護対象斜面全体の縦方向の長さの複数の縦ワイヤロープ及び横方向の複数の横ワイヤロープによって、斜面を格子状に覆うことで落石の予防及び落石からの防護を行っている。この縦横のロープ掛けには、ロープの端末や縦横のロープの交点にアンカーを配置し、アンカーへの横方向荷重に対する抵抗や引抜き抵抗やロープの張力によって、浮石の固定、転石の滑落防止及び落石防護を行っている。更に、前記縦横のロープによって形成される格子規模より小規模な崩落への対応として、補助ロープの張設やロープに結合させた金網で斜面を覆うことも行っている。
【０００５】
上記格子の間隔は一般的には２ｍ×２ｍ程度で、その格子の中を縦横に５０ｃｍ程度毎（本明細書及び図面では、１ｍ間隔の補助ロープのみ表示し、その他の補助ロープや金網は省略している。）に補助ロープを設けている。主ロープの端部にはアンカーを設置し、それによって主ロープの引張力の反力を確保している。縦横の主ロープの交点にはアンカーを設置し、そのアンカー頭部にはクリップを設け、縦横ロープのクロス部を固定している。このような覆式落石防護網の従来工法には、落石予防として効果もさることながら、むしろ発生した落石を飛跳させずに斜面に沿って落とす効果を主目的とした構造になっている。
【０００６】
上記のような従来の落石防護網の工法に対して、作業効率の改善や過重負担を軽減するために、特許文献１では、中間部のアンカーにおけるロープ係留にローラ等を使用し、ロープの張力をロープ全長に渡って伝達しうる工法を提案している。
【０００７】
特許文献２では、従来型の水平方向と垂直方向によって形成される格子状のネットに対して、施工する傾斜面における様々な起伏形状に対応するため、傾きを有する格子状のロープネット工が提案されている。
【先行技術文献】
【特許文献】
【０００８】
【特許文献１】特開２０１４−１５２５５１号公報
【特許文献２】特開２０１５−１２１０３７号公報
【非特許文献】
【０００９】
【非特許文献１】道路土工−切土工・斜面安定工指針（平成２１年度版）日本道路協会出版
【非特許文献２】落石対策便覧（平成１２年６月）日本道路協会出版
【発明の概要】
【発明が解決しようとする課題】
【００１０】
落石防護網工においては、図１０に示す様に不安定な岩塊１１を有する斜面全体を覆うために、縁端部では縦又は横方向のロープのアンカー２７を、中間部には、縦横のロープの交点にアンカー２９を設置する。縁端部アンカー２７に連結する縦方向に繋がったワイヤロープ３である縦主ロープ３１及び横方向に繋がったワイヤロープである横主ロープ３２を張設し、中間部では、縦横のロープの交点をアンカーに固定する。複数の縦主ロープ及び横主ロープによる一定の大きさの格子形状でのロープ掛けを同程度の張力で弛みのなく張設することには、相当の熟練を有し、ロープの張力による不安定な岩塊の斜面への固定には、斜面の凹凸によって困難な場合が生じる。また、縁端部アンカーピン４１は縦横何れか一方向のワイヤロープのアンカーに連結する役割をしている。中間部アンカー２９に固定するクロスアンカーピン４２には、連続するワイヤロープの中間点で縦横のワイヤロープをクロスに固定する機能を有している。このような従来工法の施工範囲には、施工の必要のない縁端部や予防不要な格子状部（Ａ、Ｂ、Ｃ、Ｄ）が含まれることがある。
【課題を解決するための手段】
【００１１】
斜面における落石対策のロープ掛けに用いるアンカーへのロープ留め具であって、中央部に斜面上に突出する前記アンカーに固定された軸体が貫通するアンカー孔と周縁部にロープを連結する複数のロープ連結孔とを備え、前記軸体に対して回動自在の回転体であるロープの留め具。
【００１２】
前記の留め具であって、アンカー孔が長手方向を有する長孔であるロープ留め具。
【発明の効果】
【００１３】
本発明の留め具は、端辺部にも、中間部にも使用することができるものであり、従来使用していた連続ロープに対して、ロープを必要に応じて短くすることができるようにしつつ、一つのロープにかかる負荷を周辺の他のロープや周辺のアンカーに分散することができる。従って、ロープの張力によって、容易に不安定岩塊に適当な押圧力を及ぼすことができ、落石防護工である覆式落石防護網を落石予防工として効率的かつ効果的な施工を可能にすることができる。具体的には、端部では従来の縁端部アンカーを不要にし、施工面積を減ずることができ、効率的に不安定斜面を覆うことができる覆式落石防護網の設置を可能にする。中間部においては、本発明の留め具の使用によって、対象とする斜面の凹凸の形状に応じて不安定岩塊に適当な押圧力を及ぼすことができ、覆式落石防護網の落石予防工としての機能を大幅に改善することができる。
【図面の簡単な説明】
【００１４】
【図１】図１は、ロックボルト用ロープ留め具の使用例を示した説明図である。（実施例１）
【図２】図２は、ロックボルト用ロープ留め具を示した説明図である。（実施例１）
【図３】図３は、ロープ連結孔とロープ貫通孔を備えたロープ留め具及びその使用例を示した説明図である。（実施例１）
【図４】図４は、ロープクリップ併用のロープ留め具及びその使用例を示した説明図である。（実施例１）
【図５】図５は、パイプアンカー用ロープ留め具及びその使用例を示した説明図である。（実施例２）
【図６】図６は、ロープ留め具のアンカー孔にかかる効果説明図である。
【図７】図７は、凹部におけるアンカーへのロープ連結にかかる効果説明図である。
【図８】図８は、ロープ留め具を使用した落石防護網工を示した説明図である。（実施例３）
【図９】図９は、凹凸のある斜面にロープ留め具を使用した落石防護網工を示した説明図である。（実施例４）
【図１０】図１０は、従来の覆式落石防護網の施工図である。
【発明を実施するための形態】
【００１５】
発明を実施するための形態に示すロープは、一般に覆式落石防護網で用いるワイヤロープ３である。通常、アンカーは、岩盤部と土砂部で異なるが、実施例１では岩盤部用ロックボルトで実施する場合を示し、実施例２では土砂部用パイプアンカーで実施する場合について示す。実施例３及び実施例４では、本発明のロープ留め具を活用した落石防護網工又は覆式落石防護網を示す。
【００１６】
本発明の留め具を用いることによって、アンカーとロープの連結は種々の形態を採用しうる。しかし、従来、同一の縦位置若しくは同一の横位置では、連続する単一のロープを使用していたことを勘案すると、アンカー位置におけるアンカーとロープとの関連について、ロープ連結孔への縦横のロープとの連結によって、落石等によって発生する張力は、アンカー孔を挟んで対峙するロープ連結孔間及びアンカー孔とロープ連結孔間における張力になりうるため、これらの引張強度は、ロープの引張強度と同程度以上の強度を有することが望ましい。
【実施例１】
【００１７】
図２には、アンカーに岩盤部用ロックボルト２１を使用した時の本発明のロープ留め具４を幾つか示す。本実施例ではアンカーに固定された軸体２３は、ロックボルト２１頭部を加工して用いたものである。図２（１）〜（３）に示すロープ留め具は、中央部に円形の孔であるアンカー孔４４を有し、斜面上に突出したロックボルト頭部が貫通する。アンカー孔は、アンカー固定軸体２３の直径に対して、容易に回転ができる程度の直径となっている。図２（１）は、中間部用ロープ留め具で、アンカー孔を軸受けとする回転体４５の周縁部には、縦横の４方向に円形のロープ連結孔４６を有している。図２（２）は、端辺部用ロープ留め具であり、端辺方向にアンカー孔を挟んで対峙する２つのロープ連結孔とアンカー孔から端辺方向に直角方向に回転体の周縁部にロープ連結孔を設けている。図２（３）は、隅角部用ロープ留め具であり、アンカー孔を頂点とする直角方向の端辺方向にロープ連結孔を設け、それらに連結するロープから発生する合力の反対方向に必要に応じて隅角部アンカー３０からのロープに連結できるロープ連結孔を設けている。図２（４）〜（６）は、中間部用ロープ留め具に長孔のアンカー孔を採用した場合の図である。図２（４）は、アンカー孔が、対峙するロープ連結孔間に長手方向を有する直線の長孔のアンカー連結孔を有するロープ留め具である。図２（５−１）は、アンカー孔が、対峙するロープ連結孔間に対して傾きを有する長手方向の直線的長孔であるロープ留め具である。図２（５−２）は、アンカー孔が曲線の長孔である場合の留め具である。図２（６）は、重複部分を有する複数のアンカー孔を有するロープの留め具である。なおこれらのロープ留め具は、構造用圧延鋼材を切削加工したものであり、裏表自在に利用できる。
【００１８】
図1には、ロックボルト２１によるアンカーに、図２（１）のロープ留め具４を設置した場合を示す。アンカー固定軸体２３には、ロープ留め具が該軸体から抜け出すことを防止するため、螺旋状溝（図では省略している。）を設け、抜止めナット２５を設置している。ロープ留め具の台座２４をロックボルト定着材２６上に設けている。該留め具の回転体としての機能を確保するためである。回転体４５の縦横の周縁部に設けられたロープ連結孔４６には、ロープ３が連結されている。図２（１）に示す例では、２方向は端部を加工したロープによって連結され、それらに対峙する別のロープ連結孔には、シャックル３５のピンが貫通し、シャックル他端側でロープに連結されている。図示していないが、ロープがターンバックルを通じて連結されることもある。
【００１９】
図６を用いて、ロープ掛けによる不安定岩塊の斜面への固定について、アンカーに対して上向きで引抜き方向荷重に関しては対象外として説明する。図６（１）では、不安定岩塊Ｘに対して、固定点Ａから固定点Ｂの間に緩みのない状態で張られたロープはＬ０の長さを有し、不安定岩塊Ｘに変状が起き、Ｙの状態になったときにロープがＬ１になり、その歪に応じた応力がロープに働きロープの張力（Ｔ）となって、不安定岩塊Ｙの更なる変状を抑止する方向に作用する。図６（１）のσはロープが弾性体の場合の応力で、Ｅは弾性係数である。図６（２）で、上記固定点Ａをアンカーとして、本発明の留め具を設置した場合の作用を説明する。当初の弛みのないロープは状態ｏである。不安定岩塊に変状が惹起したとき、留め具が回転することなくアンカーに対して完全固定の場合、ロープは状態ｐである。留め具が回転体であり、回転に対して抵抗モーメントが作用しない場合、ｒの状態で、他のロープ連結孔に連結されたロープによって、抵抗モーメントが作用する場合はｑの状態となる。この場合の抵抗モーメントは、図上の偏心距離αと他のロープ生じる張力によってもたらされる。ｐの状態では、アンカーには横方向力以外に、アンカーを捩じる方向に荷重が作用し、アンカーに好ましくない負担が生じる。また、ｒの場合は、ロープに作用する張力がそのままアンカーに横方向の力として作用するが、ｐの場合は、他のロープの張力が、アンカーに働くＡＢ間の張力による横方向力を緩和する方向に作用する。
【００２０】
次に留め具のアンカー孔が長孔の場合の作用について説明する。図６（３）に示す様に、Ａ及びＢに本発明のアンカー孔が長孔である留め具を設置し、該長孔の中央にアンカー固定軸体が位置するようにＣＡ間、ＡＢ間及びＢＤ間のロープの張力を調整した場合、図６（１）に示すような岩塊の変状に伴うロープの長さの変化が長孔の長手方向の長さｗ以内であれば（ｗ＞Ｌ１−Ｌ０）、ＡＢ間のロープに働く張力は、全てＡＣ、ＢＤ間に伝達され得る。図６（１）に示す応力から求められる張力（Ｔ）と図６（３）に示す応力から求められる張力（Ｔ‘）を比較して明らかなように、岩塊の変状に伴いロープに作用する張力は軽減される。
【００２１】
アンカー孔４４を長孔にする場合、必ずしも図２（４）に示すような相対峙するロープ連結孔４６の方向である必要はない。例えば、図２（５−１）のようにすることもできる。長孔の長さｗを長くとることができ、引張力が作用した時に同時に留め具に回転力が加わるときもあり、その場合は前記回転による効果も発揮しうる。アンカー孔は単一方向の直線的な長孔のみならず、図２（５−２）のような曲線的な長孔も選択できる。留め具に作用するロープの張力を調整することによって、アンカー孔における所定の位置にアンカー軸体を留め置くことを容易にする場合がある。図２（６）には、アンカー孔として、重複部分を有する複数の長孔を有する留め具は、縦横それぞれのロープの張力の方向に対して卓越する張力方向に速やかに、対応できるようにするためである。
【００２２】
図３には、回転体４５にロープ連結孔４６とロープ貫通孔４７とを備えたロープ留め具４及びその使用状況を示す。図３（１−１）にロープ留め具の平面図を、図３（１−２）に正面図を、図３（１−３）にＡ−Ａ断面図を示す。ロープ貫通孔は、アンカー孔４４及びロープ連結孔の平面に対して傾きを有する円形の孔で、ロープ連結孔と同じ径である。図３（２）、（３）及び（４）に使用状況図を示す。図３（２）平面図に示すように、ロープの左端側から見ると下側から一つ目のロープ貫通孔を貫通し、ロープ留め具の上面を通過して、次の貫通孔に対して上側から下向きに貫通し、右端側伸びている。アンカー孔にはロックボルト頭部２３が貫通し、抜止めナット２５を施している。本例の場合、ロープ連結孔には、シャックル３５のみ表示している。ロープ貫通孔を貫通するロープは、アンカー固定軸に軸支されたロープ留め具に通過点を拘束され、この場合、ロープ留め具の回転による効果は、前記のとおりであり、ロープの曲げ弾性による抵抗も働く。同時に、このロープは、図示していないがロープ両端の固定点間の線材として図６（３）と同じ効果を発揮する。貫通孔を貫通するロープを締付け固定する締付け具を図３（５）に示す。この締付け具によって、貫通するロープを本貫通孔の位置に固定することもできる。
【００２３】
図４にロープ連結孔４６と併用するロープを締め付け固定するロープクリップ４８を着設したロープ留め具４の実施例を示す。図４（１）は、ロープクリップに締め付け固定するロープを端辺部に使用する状況を示す平面図である。図４（１）に示すように、回転体の２箇所にロープを挟んで２つの螺子止めで固定するクリップ金具を有し、該金具は図４（３）の側面図に示すように、ロープを圧する半円状部  と螺子止め孔を有する平板部  からなる。２箇所のねじの締め付けによって、ロープは、クリップ金具の半円状部及び回転体との間の摩擦によって、締め付け固定される。図４（１）に示すように、締め付け固定されたロープの直角方向にアンカー孔４４とロープ連結孔があり、ロープ連結孔にはシャックルのピンが貫通している。図示していないが、シャックルのピンの他端にはロープが連結される。ロープクリップ併用のロープ留め具に関しても、そのアンカー孔の回転効果は、前記と同様であるが、ロープクリップの場合はロープの曲げ弾性による抵抗も働く。また、ロープクリップ併用のロープ留め具に関しても、アンカー孔として長孔や重複孔を採用することはできる。
【実施例２】
【００２４】
図５（１−２）には、土砂部でのアンカーとして、パイプアンカー２２を用いた場合のロープ留め具４を示す。アンカー孔４４はパイプアンカー頭部が貫通し、ロープ留め具が回転できる程度の直径を有しており、ロックボルトの場合と比較して大きくなり、ロープ留め具の外径も大きくなっている。回転体４５の周縁部の三方向に配されたロープ連結孔４６の径は図２に示すロックボルトの場合と同様である。図５（１−１）及び図５（２）には、端辺部のパイプアンカーに該ロープ留め具を用いた状態を示す。パイプアンカーの頭部をアンカー固定軸体２３として、ロープ留め具のアンカー孔に貫通させる。回転体台座２４の機能はロックボルトの場合と同様であるが、抜止めはアンカー頭部に設けた抜止めボルト２５１を用いている。
【００２５】
図５（４）にパイプアンカー２２の頭部を加工し、ロックボルト２１頭部と同じ径のアンカー固定軸体２３を有する固定軸設置体２３２を設けた場合の実施例を示す。図５（３）にパイプアンカー頭部に固定軸設置体を嵌装し、設置体抜止めボルト２３３を設けた状態の断面図を表す。固定軸設置体は、蓋付内装管２３２の蓋部中央に屹立させたアンカー固定軸体を取付け、パイプアンカーと該内装管に設置体抜止めボルト貫通させ、ナットで固定したものである。これによって、土砂用のパイプアンカーに対しても、図２に示すロックボルト用のロープ留め具を用いることができ、アンカー孔４４を長孔にする場合などへの利用が容易になる。
【実施例３】
【００２６】
本発明は、落石予防の落石防護網工又は落石防護の覆式落石防護網（以下落石防護網工等という。）について、岩塊の斜面１への固定機能を高め、更に効率的な施工を実施しうる。本実施例においては、効率的で経済的な施工との関わりに注目する。
【００２７】
本発明の留め具を配した落石防護網工等に関して図８に示す。斜面上の不安定岩塊を有する箇所これを覆う格子状のロープネットについて、端辺部である上辺、下辺、右辺、左辺の各アンカー２８設置個所には、端辺部用ロープ留め具４を配し、上・下辺及び右・左辺で形成する隅角部には隅角部ロープ留め具を配する。上辺と右辺の隅角部には、隅角部アンカー３０を配し、斜め方向にロープ留め具に張力を加えた例を示している。図８と従来工法の図１０とを比較する。従来工法の縁端部アンカー２７が不要となっており、不安定岩塊エリアに近接する外部エリアに端辺部アンカー２８を設置し、図１０の縦横の主ロープで形成される格子区間に不安定エリアが存しない範囲（Ａ、Ｂ、Ｃ、Ｄ）は施工対象外となっている。
【００２８】
本発明のロープ留め具４を配した落石防護網工等によって、施工範囲から図１０に示す縁端部の施工範囲は除去されることにより、縦横のロープ長は短くなり、アンカーの設置本数を減ずることができ、必要な用地面積が縮小されるなど、工事費を減ずることができる。また、図８に示した工事範囲除いたＡ及びＢ格子エリアに関しては、上方で落石が生じた場合に、飛跳を防止し、斜面に沿って落とすという落石防護機能を残す場合には直ちに施工範囲から除くことはできないが、他に落石防護対策がある場合や本予防工によって、防護対策を講ずる必要がないと判断される場合は省略することができ、更に工事費を抑えることができる。
【実施例４】
【００２９】
不安定岩塊１１が存するエリア内に比較的大きな凹部１３が存する場合に落石防護網工等を施工する場合について、図９に示す。従来工法では、図１０のようにロープを格子状に張設しても、凹部の不安定岩塊に対してロープの張力による押圧力は働きにくい場合が生じるが、凹部の最深部付近にアンカー２と本発明のロープ留め具４を設置することによって、ロープに対して周辺アンカー間との間で容易に張力を加えることができ、斜面に密接したロープの張設が可能となる。図９に示す例では、Ｅ点には、従来工法のクロスアンカーピン４２を本発明の中間部用４方向のロープ留め具に換え、縦主ロープ３１及び横主ロープ３２を連結する。Ｆ点では、従来補助ロープと主ロープのクロスピン４３を、アンカーを設けたうえで中間部用４方向のロープ留め具に換え主ロープ及び補助ロープを連結する。Ｇ点及びＨ点では、新たにアンカーを設け、横方向のみの２箇所のロープ連結孔４６を設けたロープ留め具を設置し、主ロープを連結する。Ｉ点では、縦横の補助ロープの交点に新たにアンカーを設けて、本ロープ留め具を設置する。一般に補助ロープは、主ロープと同じ規格のロープが用いられており、アンカー留め具に連結しても強度的な問題はない。本発明のロープ留め具の採用によって、本項の説明ではアンカーが単純に増えることになるが、全体計画の中で不要となるアンカーは除くことができる。例えば、最も効果的なＦ点にアンカーを設けることによって、左右のアンカーを除きクロスピンに換え、Ｇ点に関しては、直近のアンカーをクロスピンに変更するなど検討する必要がある。
【００３０】
ロープは、基本的には引張抵抗のみを有する部材として用いられ、上記「００１９」から「００２０」の説明はその範囲のものである。断面形状に対して使用区間が充分長い場合は、その性質が卓越する。しかし、使用区間が短い場合においては、その素材の弾性係数（Ｅ）及び断面における断面２次モーメント（Ｉ）が曲げこわさ（Ｅ×Ｉ）として、ロープの取扱いに影響する。例えば、図７に示すように、起伏のある地山の凹部において、弛みのない状態でロープをアンカー連結する場合、図７に示すＬＳように短い区間で、ロープに張力を付加してアンカーに連結する場合、アンカー連結部で荷重Ｐによってロープにεの変位を与える状態であり、ロープの曲げ抵抗がアンカー留めを困難にしているとともに、この荷重Ｐはアンカーに対して大きな引抜き力を付加することとなる。このような場合にも、本発明の留め具を用いることによって、曲げ抵抗によるアンカー留めの困難性を除去することができる。
【符号の説明】
【００３１】
１    地山斜面、１１    不安定岩塊、１２    不安定岩塊凸部、１３    不安定土塊凹部
２    アンカー、２１    ロックボルト、２２    パイプアンカー、２３    アンカー固定軸体、２３１    固定軸設置体、２３２    蓋付内装管、２３３    設置体抜止めボルト、２４    ロープ留め具台座、２５    抜止めナット、２５１    抜止めボルト、２６    アンカー定着材、    ２７    縁端部アンカー、２８    端辺部アンカー、２９    中間部アンカー、３０    隅角部アンカー
３    ワイヤロープ、３１    縦主ロープ、３２    横主ロープ、３３    縦補助ロープ、３４    横補助ロープ、３５    シャックル    
４    アンカー留め具、４１    縁端部アンカーピン、４２    中間部クロスアンカーピン、４３    クロスピン、４４    アンカー孔、４５    回転体、４６    ロープ連結孔、４７    ロープ貫通孔、４８    ロープクリップ、４９    ロープ締付け具、５０    締付け具設置孔、  
【図１】
2019007207.tif 000003
【図２】
2019007207.tif 000004
【図３】
2019007207.tif 000005
【図４】
2019007207.tif 000006
【図５】
2019007207.tif 000007
【図６】
2019007207.tif 000008
【図７】
2019007207.tif 000009
【図８】
2019007207.tif 000010
【図９】
2019007207.tif 000011
【図１０】
2019007207.tif 000012